(57)【要約】【課題】  見出しや検索用として書籍、雑誌、ノート等に貼付した際に、貼付する方向にかかわらず、表示部の内容を違和感なく読むことができる付箋を提供する。【解決手段】  全体方形状に形成され、所定の意味内容が表示された表示部１１を有する付箋１０において、表示部１１は辺部に対して傾斜して配設されている。【選択図】  図２
0003203446.tif 000002
【実用新案登録請求の範囲】
【請求項１】
全体方形状に形成され、所定の意味内容が表示された表示部を有する付箋において、前記表示部は辺部に対して傾斜して配設されていることを特徴とする付箋。
【請求項２】
全体細長長方形状に形成され、前記表示部は長さ方向又は幅方向に対して４５度傾斜して配設されていることを特徴とする請求項１記載の付箋。
【請求項３】
前記表示部は、長さ方向端部に設けられていることを特徴とする請求項２記載の付箋。
【請求項４】
前記表示部には、所定の意味内容を表す文字列が縦書きに表示されていることを特徴とする請求項２記載の付箋。
【考案の詳細な説明】
【技術分野】
【０００１】
本考案は、書籍、雑誌、ノート等の読者又は利用者が、見出しや検索用に特定のページに目印をつけるための付箋に関するものである。
【背景技術】
【０００２】
従来より、書籍、雑誌、ノート等の読者又は利用者が、見出しや検索用に特定のページに目印をつけるために、付箋が用いられている。例えば、特許文献１には、花柄模様やカラーパターンを施すことで、付箋の見出し機能や検索機能を高めた付箋が知られている。
また、従来、本件実用新案登録出願人は、基部と除去部とにより構成された付箋であって、基部と除去部とには、連続して一体の意味内容を保持すると共に、除去部が除去された場合にも基部に残存した部位も独自の意味内容を有する表示部が設けられた付箋を提案している（特許文献２）。前記表示部には、文字、符号、図形等が予め付箋に付されている。
【０００３】
一般に、図４に示すように、付箋３０は全体が細長長方形状に形成されており、前記のような表示部３１を有する付箋にあっては、表示部３１が長さ方向、又は、幅方向のいずれか一方の方向に沿って付されている。
従って、表示部３１を有する付箋３０を書籍等の特定のページに貼付する場合には、見出しや検索のために表示部３１の文字や符号等が読みやすい向きに貼付する必要がある。
その結果、図４に示すように、付箋３０を書籍等３２の上端部３３に貼付するか、左右いずれか一端部（図４中においては右端部３４）に貼付するかは、表示部３１の表示方向によって限定されてしまうため、自由度が小さく、使い勝手が悪いという不具合があった。
すなわち、図４に示すように、付箋３０を書籍等３２の右端部３４に貼付すると、書籍等３２の辺部に対して表示部３１が９０度傾斜して、いわゆる横倒し状態になり、読みづらくなってしまうという不具合があった。
【０００４】
本件実用新案登録出願人はこのような観点から先行技術調査を行ったが、前記不具合を解消するような技術は発見できなかった。
【特許文献１】特開平１１−３４２６９０号公報
【特許文献２】実用新案登録第３１８９０１６号公報
【考案の開示】
【考案が解決しようとする課題】
【０００５】
本考案は、以上のような従来からの不具合を解消するためのものであって、その課題は、見出しや検索用として書籍、雑誌、ノート等に貼付した際に、貼付する方向にかかわらず、表示部の内容を違和感なく読むことができる付箋を提供することにある。
【課題を解決するための手段】
【０００６】
前記課題を解決するために、請求項１に記載の考案にあっては、全体方形状に形成され、所定の意味内容が表示された表示部を有する付箋において、前記表示部は辺部に対して傾斜して配設されていることを特徴とする。
【０００７】
従って、前記表示部は前記付箋の辺部に対して所定の角度分傾斜して配設される。
【０００８】
請求項２に記載の考案にあっては、全体細長長方形状に形成され、前記表示部は長さ方向又は幅方向に対して４５度傾斜して配設されていることを特徴とする。
【０００９】
従って、前記表示部は前記付箋の長さ方向又は幅方向に対して４５度傾斜して配設される。
【００１０】
請求項３に記載の考案にあっては、前記表示部は、長さ方向端部に設けられていることを特徴とする。
【００１１】
請求項４に記載の考案にあっては、前記表示部には、所定の意味内容を表す文字列が縦書きに表示されていることを特徴とする。
【考案の効果】
【００１２】
請求項１〜４に記載の付箋にあっては、前記表示部は前記付箋の辺部に対して所定の角度分傾斜して配設されるので、例えば、書籍、雑誌、ノート等の辺部に沿って貼付する際に、上端部、右端部のいずれに貼付した場合であっても、前記表示部が書籍等の辺部に対して９０度傾斜して、いわゆる横倒し状態になることはない。
その結果、見出しや検索用として書籍等に貼付した際に、貼付する方向にかかわらず、表示部の内容を違和感なく読むことができる付箋を提供することができる。
【００１３】
特に、請求項２に記載の付箋にあっては、前記表示部は前記付箋の長さ方向又は幅方向に対して４５度傾斜して配設されるので、例えば、書籍等の辺部に沿って貼付する際に、上端部、右端部のいずれに貼付した場合であっても、前記表示部が書籍等の辺部に対して４５度傾斜して配設される。
その結果、見出しや検索用として書籍等に貼付した際に、貼付する方向にかかわらず、表示部の内容を確実に違和感なく読むことができる。
【００１４】
請求項３に記載の付箋にあっては、前記表示部は、長さ方向端部に設けられているので、例えば、書籍等の端部から前記表示部をはみ出すように貼付した場合にあっては、書籍等を閉じた状態でも前記表示部を視認することができ、その結果、書籍等の見出しや検索用として効果的に使用することができる。
【００１５】
請求項４に記載の付箋にあっては、前記表示部には、所定の意味内容を表す文字列が縦書きに表示されているので、書籍等の辺部に沿って貼付した場合において、前記表示部が書籍等の辺部に対して４５度傾斜して配設されていても読みやすく、前記所定の意味内容を容易に把握することができる。
【図面の簡単な説明】
【００１６】
【図１】図１（ａ）は本考案の第一の実施の形態に係る付箋の平面図、（ｂ）は第二の実施の形態に係る付箋の平面図である。
【図２】図２（ａ）は本考案の第一の実施の形態に係る付箋の使用状態を示す平面図、（ｂ）は本考案の第二の実施の形態に係る付箋の使用状態を示す平面図である。
【図３】図３（ａ）は、本考案に係る第三の実施の形態に係る付箋の平面図、（ｂ）は本考案に係る第四の実施の形態に係る付箋の平面図である。
【図４】図４は、従来の付箋において、使用状態を示す平面図である。
【考案を実施するための最良の形態】
【００１７】
以下、添付図面に示す実施の形態に基づき、本考案を詳細に説明する。
図１（ａ）及び図２（ａ）に示すように、本考案の一実施の形態に係る付箋１０は、合成樹脂製のシート材により、全体細長長方形状に形成され、所定の意味内容が表示された表示部１１を有している。図示しないが、本実施の形態に係る付箋１０の裏面部側には、書籍等に貼り付け可能な感圧接着層が設けられている。
また、図１（ａ）に示すように、本実施の形態に係る表示部１１は、付箋１０の長さ方向（図中Ａ方向）に対して反時計方向に４５度（図中角度α）傾斜して配設されている（図中Ｂ方向）。
【００１８】
また、図１（ａ）及び図２（ａ）に示すように、本実施の形態に係る表示部１１は、付箋１０の長さ方向端部１２に設けられている。
また、図１（ａ）及び図２（ａ）に示すように、本実施の形態に係る表示部１１には、所定の意味内容を表す文字列が縦書きに表示されている。本実施の形態に係る付箋１０にあっては、「提出」という文字列が縦書きに表示されている。
【００１９】
以上の構成を有する第一の実施の形態に対して、図１（ｂ）に示す第二の実施の形態に係る付箋１３にあっては、所定の意味内容が表示された表示部１４は、付箋１３の長さ方向（図中Ａ方向）に対して時計方向に４５度（図中角度α）傾斜して配設されている（図中Ｃ方向）。他の構成は第一の実施の形態に係る付箋１０と同一である。
【００２０】
また、図３（ａ）に示す第三の実施の形態に係る付箋１５にあっては、所定の意味内容が表示された表示部１６は、付箋１５の長さ方向に対して反時計方向に４５度傾斜して配設されると共に、所定の意味内容を表す文字列が縦書きで２列に亘って表示されている。本実施の形態に係る付箋１５にあっては、「難易度」及び「★★★」という文字列が縦書きで２列に亘って表示されている。
なお、他の構成は第一の実施の形態に係る付箋１０と同一である。
【００２１】
以上の構成を有する第三の実施の形態に対して、図３（ｂ）に示す第四の実施の形態に係る付箋１７にあっては、所定の意味内容が表示された表示部１８は、付箋１７の長さ方向に対して時計方向に４５度傾斜して配設されている。他の構成は、第三の実施の形態に係る付箋１５と同一である。
【００２２】
以下、本実施の形態に係る付箋１０の作用について説明する。
本実施の形態に係る付箋１０は、見出しや検索用として書籍、雑誌、ノート等の辺部に沿って貼付して使用するが、一例として、図２（ａ）に示すように、ノート１９の辺部に沿って貼付した場合について説明する。
【００２３】
この際、本実施の形態に係る付箋１０にあっては、表示部１１は付箋１０の長さ方向（図中Ａ方向）に対して反時計方向に４５度傾斜して配置される（図中Ｂ方向）ので、図２（ａ）に示すように、例えば、ノート１９の辺部に沿って貼付する際に、上端部２０、右端部２１のいずれに貼付した場合であっても、表示部１１がノート１９の辺部に対して９０度傾斜して、いわゆる横倒し状態になることはない。
その結果、見出しや検索用としてノート等に貼付した際に、貼付する方向にかかわらず、表示部の内容を違和感なく読むことができる付箋を提供することができる。
【００２４】
また、図１（ａ）に示すように、本実施の形態に係る付箋１０にあっては、表示部１１は、長さ方向端部１２に設けられているので、図２（ａ）に示すように、例えば、ノート１９の端部２０、２１から表示部１１をはみ出すように貼付した場合にあっては、ノート１９を閉じた状態でも表示部１１を視認することができる。その結果、ノート等の見出しや検索用として効果的に使用することができる。
【００２５】
また、図１（ａ）に示すように、本実施の形態に係る付箋１０にあっては、表示部１１には、所定の意味内容を表す文字列が縦書きに表示されているので、図２（ａ）に示すように、ノート１９の辺部に沿って貼付した場合において、表示部１１がノート１９の辺部に対して４５度傾斜して配置されていても読みやすく、所定の意味内容である「提出」を容易に把握することができる。
【００２６】
また、第二の実施の形態に係る付箋１３にあっては、図２（ｂ）に示すように、ノート１９の辺部に沿って貼付した場合について説明する。
この際、図１（ｂ）に示すように、本実施の形態に係る付箋１３にあっては、表示部１４は付箋１０の長さ方向（図中Ａ方向）に対して時計方向に４５度傾斜して配設される（図中Ｃ方向）ので、図２（ｂ）に示すように、例えば、ノート１９の辺部に沿って貼付する際に、上端部２０、左端部２２のいずれに貼付した場合であっても、表示部１４がノート１９の辺部に対して９０度傾斜して、いわゆる横倒し状態になることはない。
その結果、見出しや検索用としてノート等に貼付した際に、貼付する方向にかかわらず、表示部の内容を違和感なく読むことができる付箋を提供することができる。
以上のように、第一の実施の形態に係る付箋１０及び第二の実施の形態に係る付箋１３は、夫々、ノート等の右端部及び左端部に貼付するように使い分けて使用することができる。
【００２７】
また、図３（ａ）に示すように、第三の実施の形態に係る付箋１５は、表示部１６が付箋１５の長さ方向に対して反時計方向に４５度傾斜して配設されているので、第一の実施の形態に係る付箋１０と同様に、見出しや検索用としてノート等の上端部、又は、右端部に貼付した際に、貼付する方向にかかわらず、表示部の内容を違和感なく読むことができるという効果を奏する。
図３（ｂ）に示すように、第四の実施の形態に係る付箋１７は、表示部１８が付箋１７の長さ方向に対して時計方向に４５度傾斜して配設されているので、第二の実施の形態に係る付箋１３と同様に、見出しや検索用としてノート等の上端部、又は、左端部に貼付した際に、貼付する方向にかかわらず、表示部の内容を違和感なく読むことができるという効果を奏する。
以上のように、第三の実施の形態に係る付箋１５及び第四の実施の形態に係る付箋１７は、夫々、ノート等の右端部及び左端部に貼付するように使い分けて使用することができる。
【００２８】
また、図３（ａ）及び（ｂ）に示すように、第三の実施の形態に係る付箋１５及び第四の実施の形態に係る付箋１７にあっては、表示部１６、１８が付箋１５、１７の長さ方向に対して４５度傾斜して配設されると共に、「難易度」及び「★★★」という文字列が縦書きで２列に亘って表示されているので、ノートの辺部に沿って貼付した場合において、表示部１６、１８がノートの辺部に対して４５度傾斜して配置されていても読みやすく、所定の意味内容である「難易度★★★」を容易に把握することができる。
【００２９】
本実施の形態に係る付箋１０、１３、１５、１７は、合成樹脂製のシート材により、全体細長長方形状に形成されている場合を例に説明したが、前記構成に限定されるものではなく、例えば、紙製でもよく、また、全体方形状に形成されていてもよい。
また、本実施の形態に係る表示部１１、１４、１６、１８は、夫々、付箋１０、１３、１５、１７の長さ方向に対して４５度傾斜して配設されている場合を例に説明したが、前記構成に限定されず、前記表示部は辺部に対して傾斜して配設されていればよい。
【産業上の利用可能性】
【００３０】
本考案は、付箋に広く適用可能であり、産業上利用可能性を有している。
【符号の説明】
【００３１】
１０、１３、１５、１７：付箋
１１、１４、１６、１８：表示部
１２：長さ方向端部
１９：ノート
２０：ノートの上端部
２１：ノートの右端部
２２：ノートの左端部
３０：表示部
３０：従来の付箋
３１：表示部
３２：書籍
３３：書籍等の上端部
３４：書籍等の右端部
【図１】
0003203446.tif 000003
【図２】
0003203446.tif 000004
【図３】
0003203446.tif 000005
【図４】
0003203446.tif 000006